(57)【要約】【課題】従来の技術では、臭気成分の消去のために、活性炭のような臭気成分を吸着させる方法、オゾン等のように臭気成分を酸化させたりして他の成分に変化させる方法、香料などを用いて強い香料で臭気を感じさせなくさせる方法、電気的に分子の酸化あるいは分解させる方法等があったが、これらの方法に、吸着量の限界、消臭速度の遅さや香料と臭気の混合させ方などに問題点があった。【解決手段】本発明は、以上の問題点を解決するため、ブラックライトから発せられる紫外線を二酸化チタンが塗布された竹繊維フィルターに照射することによって、この二酸化チタンの光触媒効果により、臭気分子を分解し、かつ、オゾン発生部分で環境上問題ないようなオゾン量を発生させる装置である。【選択図】図１
2007325706.tif 000002
【特許請求の範囲】
【請求項１】
高電圧電極を有するプラズマ発生器またはコロナ放電管等の機器を組み込んだ空気清浄器において、この空気清浄器は、前記プラズマ発生器またはコロナ放電管等の構成要素を収容する本体容器と、空気が通過する通風路にプラズマ発生器またはコロナ放電管等の電極を設置したことを特徴とする空気清浄器。
【請求項２】
プラズマ発生器またはコロナ放電管の電極として、試験管の内側部分を要する高電圧側の電極と試験管の外側に巻いた網状の低電圧の電極を組み合わせたことを特徴とする請求項１に記載の空気清浄器。
【請求項３】
吸い込み口側に設置したフィルターとして臭い分子吸着性に優れている二酸化チタン触媒をコーティングした爆砕竹繊維を用いたことを特徴とする請求項１および請求項２に記載の空気清浄器。
【請求項４】
オゾン発生量を、タイマーによる切り替えやオゾンセンサーの濃度計測によって制御できるようにしたことを特徴とする請求項１、請求項２および請求項３に記載の空気清浄器。
【発明の詳細な説明】
【技術分野】
【０００１】
本発明は、半導体、液晶、食品、食品容器、ケアセンター、家畜舎、トイレ、前利用者の体臭等が残っている中古ビル室内、運送車、製薬会社の工場、塗料会社の工場、家庭内のペット臭のする場所、病院や公共施設の喫煙所、有害物質の残っている部屋、温室ハウスの野菜栽培場等に設置することができる脱臭・消臭効果や抗菌・殺菌効果を有する空気清浄器に関する。
【背景技術】
【０００２】
従来の技術では、オゾンを用いた室内の滅菌および脱臭方法において、各種の方法が提案されているが、いずれにおいてもオゾンは被滅菌および被脱臭室内外の少なくとも一箇所に設置された主オゾン発生装置によりえられ、発生したオゾンは送風ファンあるいは空調装置などにより室内に拡散されたものであった。
【０００３】
ところが、被滅菌及び被脱臭室内でオゾンを拡散するには送風ファンあるいは空調装置などの手段ではオゾンの不均一な濃度分布が生じ、従って、室内の隅々の効率的な滅菌、および脱臭が出来ないという欠点があった。この欠点を補うには、複数個のオゾン検出器を被滅菌及び被脱臭室内に設置し、各々のオゾン検出器で得られた信号を基に主なるオゾン発生装置を制御する方法があるが、オゾン濃度を均一とする制御は困難であり、さらにオゾン発生装置本体が効果なものとなる欠点がある。
【特許文献１】特許第３６２１３７２号
【発明の開示】
【発明が解決しようとする課題】
【０００４】
オゾン発生による消臭装置は、かつて、様々な用途で使用されてきた。オゾンは消臭効果を発揮する有用な手段であることは広く認識されてきている。特に、糞尿等の悪臭に関して大きな消臭効果を示すことが、書物などに記載されている。しかし、従来の市販されている装置では、オゾンの危険性を充分に回避されているものはなかった。
【０００５】
オゾンには毒性があり、当然、オゾン濃度が濃過ぎると人体に大きなダメージを与えることが知られている。さらに詳しく述べると、５０ppmの濃度の空気中に人体が入ると、生命の危機になってしまう。
【０００６】
当社の実験では、酸化チタン溶液を噴霧して竹繊維にコーティングしたフィルターを用いた場合、消臭効果は大きかった。しかし、このフィルターだけでは、装置内を通過する空気は消臭するが、通過しない空気は消臭されないという問題があった。そのため、消臭される範囲が非常に狭くなってしまうという問題点が生じてしまうのである。
【０００７】
ここで述べた竹繊維は、特許文献１（特許第３６２１３７２号）で記載されている方法で作製されたもので、この特許権の維持者から爆砕竹繊維の使用できる権利を認可されている。
【０００８】
従来の脱臭装置は、木炭（または活性炭）などの臭い分子を吸着しやすいフィルターとして用いておりと送風機とを同時に作動させることにより、装置内に臭気分子を導入してオゾンと反応させるように構成されているので、装置を通過する空気の臭気分子しか除去することができず、室内の壁面等に吸着された臭気分子を除去できないので、十分な消臭効果が得られないという問題があった。
【０００９】
その他にも、消臭方法として臭気分子の吸着材である竹炭や備長炭などを使用して消臭効果を発揮させ、香料を単独または２種類以上の香料を混合して悪臭を防御する方法がある。吸着材の効力には限界があるため、竹炭や備長炭は、数ヶ月に一度というように定期的に交換して上げなければならなかった。また、香料等を使った消臭剤は固形のものと液体のものがあるが、揮発性のためだんだん減少していき香料を追加しなければならなかった。
【００１０】
さらに使用上の問題点として、ホテルや旅館においては、畳や絨毯を敷いている客室において利用客の香水の臭いや、客室内で焚いたお香の臭いさらには人の体臭などが壁面等に染みついた状態になることが頻繁にあった。上記従来の消臭器では、このような場合のにおいの除去に数日を要していまい、その間は次の客に対して客室を提供することが出来ないという問題があった。
【００１１】
同様の問題は病院の病室や老人介護施設の部屋においても生じており、施設内部にいる患者や老人から発生する特有の異臭が壁面等に吸着するため、効果的な消臭装置が望まれていた。
【課題を解決するための手段】
【００１２】
本発明の目的は、消臭装置を提供することであって、電圧差を大きく生じさせるオゾン発生器と酸化チタンを吸着させた爆砕竹繊維をフィルターを組み合わせた装置により達成される。
【００１３】
上記の装置において、前記爆砕竹繊維は、有機物の分解光触媒として酸化チタンを吸着させている。これは、この爆砕竹繊維は活性炭のように、においの分子である有機物を吸着させやすい傾向がある。酸化チタンをこの繊維にコーティングさせるとキャッチした臭気分子が常に分解されるから、繊維にたいする臭気分子の飽和度を考慮しなくて良いことになった。
【００１４】
活性炭のような物質は、表面に吸着した臭気分子が飽和してしまうとその効力が大きく減退してしまうが、酸化チタンを吸着させることによって、竹繊維に吸着した臭気分子が分解されてしまうので、その脱臭効力は非常に長い期間維持させることができるようになった。
【００１５】
プラズマ放電の場合、高電圧側の電極とアース側の電極の形体や距離によって消臭効果に大きく作用する。この放電によって、空気中の分子（酸素、窒素、二酸化酸素）をプラズマ状態に電離させるため、結果的にオゾンやNOｘ等を生じさせていると考えられる。
【００１６】
上記「発明が解決しようとする課題」で記述したように濃度の高いオゾンでは人体に影響を与える危険性があるので、この問題を解決するためにタイマーを設定したことに特色がある。TPOによって、臭気を除去する環境が著しくことなるため、オゾンセンサーを組み込んでその濃度を人体に影響無いように設定したが、風の向きや強さによって、オゾン臭が出ているにもかかわらず、センサー反応せず、結果的に高濃度のオゾンを発生させてしまった。
【００１７】
オゾン発生器部分だけタイマー設定と電圧の強弱で、オゾン濃度を調整できるように開発した。この設定によって、常にオゾン量を一定にできるようになった。
【００１８】
本発明は、問題点を解決すべくためになされたものであって、ケアセンターの臭気の強い場所、ホテルの部屋、トイレ、風呂場、喫煙室等の臭気を除去することができる消臭方法および消臭装置の提供を目的とする。
【実施例１】
【００１９】
本発明によって製作された消臭装置を、ケアセンターのベットルームに設置した。この部屋には、４人の高齢者が居住しており、そのうち１名は、ベットの脇で排泄処理をしていた。従って、当社の消臭装置を使用する前は、入室するとすぐ強い悪臭がした。当社の消臭装置を使用した次の日、再びその部屋を訪問した際は、ほとんど、臭気は無くなっていた。
【００２０】
この事実を確認するため、約８ｍ３の密閉した部屋に、アセトアルデヒドを充満させた後その濃度を測定すると約３ppmであった。３０分後に再びその部屋のアセトアルデヒド濃度を測定すると約０．２ppmであった。
【実施例２】
【００２１】
本発明によって製作された消臭装置を８ｍ３の密閉した部屋に設置しその部屋に硫化水素を入れその減少度を調べてみた。この消臭装置の電源を入れて３０分間密閉状態にした。その結果、装置を稼働する前は強い刺激臭があったが、３０分後、臭気はほとんど消えていた。
【００２２】
この事実を確認するために、広さが約８ｍ３の部屋にアンモニア濃度が約２ppmに充満させ、３０分後、検知管でその濃度を測定した結果、０．１ppmであった。
【産業上の利用可能性】
【００２３】
本発明は、消臭効果がおおきいことから、公衆トイレ、工事現場の簡易トイレ、家畜舎、ペットショップ、病院の臭気発生室、ケアセンターの浴室、パチンコ屋、喫茶店の喫煙コーナー、タクシー内、レストランなどの厨房などに利用できる。
【図面の簡単な説明】
【００２４】
【図１】図は、本発明の空気清浄器の概略図を示す。
【符号の説明】
【００２５】
１・・・ブラックライト
２・・・空気清浄器本体
３・・・二酸化チタンを塗布した竹繊維フィルター
４・・・プラズマ放電管
５・・・送風機
６・・・風の流れる方向
【図１】
2007325706.tif 000003